(57)【要約】      （修正有）【課題】ロスト・ジェネレーション世代のような新たな価値観による新たなニーズを持つユーザに適したリフォームの提案を行うことができる住宅リフォーム・リノベーション提案システム及び住宅リフォーム・リノベーション提案方法を提供する。【解決手段】住宅リフォーム・リノベーション提案システム１０は、ユーザが住宅リフォーム要望時にリフォーム仕様を選択するための選択画面を表示する表示部と、選択画面の表示中に前記ユーザのリフォーム仕様の選択を受け付ける受付部とを備える。選択画面においては、住宅リフォームの対象空間のうちユーザがユーザの好みに応じて少なくとも部屋の配置および内装に関する仕様を自由に選択可能な第一空間に関する第一リフォームメニュー及び対象空間のうち水廻り設備が配置された第二空間に関する第二リフォームメニューが提示され、第一リフォームメニューには、変更の余地を残したリフォームメニューが含まれる。【選択図】図１
2020061008.tif 000002
【特許請求の範囲】
【請求項１】
ユーザが住宅リフォーム要望時にリフォーム仕様を選択するための選択画面を表示する表示部と、
前記選択画面の表示中に前記ユーザのリフォーム仕様の選択を受け付ける受付部とを備え、
前記選択画面においては、住宅リフォームの対象空間のうちユーザが前記ユーザの好みに応じて少なくとも部屋の配置および内装に関する仕様を自由に選択可能な第一空間に関する第一リフォームメニュー、及び、前記対象空間のうち水廻り設備が配置された第二空間に関する第二リフォームメニューが提示され、
前記第一リフォームメニューには、変更の余地を残したリフォームメニューが含まれる
住宅リフォーム・リノベーション提案システム。
【請求項２】
前記変更の余地を残したリフォームメニューは、リフォーム時に全てを決定してしまわない選択を可能にしたリフォームメニュー、または、リフォームよりも後に変更できるという選択を可能にしたリフォームメニューである
請求項１に記載の住宅リフォーム・リノベーション提案システム。
【請求項３】
前記変更の余地を残したリフォームメニューは、リフォーム時点では予測できないライフステージの変化、ライフスタイルの変化、及び、好みの変化に対して前記ユーザ自身が居住後にこれらの変化に応じて手を加えられる余地を残したリフォームメニューである
請求項１に記載の住宅リフォーム・リノベーション提案システム。
【請求項４】
前記変更の余地を残したリフォームメニューは、前記ユーザ自身が居住後に手を加えられる余地を残したリフォームメニューである
請求項１に記載の住宅リフォーム・リノベーション提案システム。
【請求項５】
前記第一リフォームメニューには、前記ユーザ自身が居住後に手を加える余地を残したリフォームメニューとして、壁の下地補強に関するリフォームメニューが含まれる
請求項４に記載の住宅リフォーム・リノベーション提案システム。
【請求項６】
前記第一リフォームメニューには、前記ユーザ自身が居住後に手を加える余地を残したリフォームメニューとして、前記第一空間の壁及び天井の少なくとも一方に塗装下地用のクロスを貼るリフォームメニューが含まれる
請求項４に記載の住宅リフォーム・リノベーション提案システム。
【請求項７】
前記第一リフォームメニューには、前記ユーザ自身が居住後に手を加える余地を残したリフォームメニューとして、前記第一空間の壁に壁紙を貼り付けないリフォームメニューが含まれる
請求項４に記載の住宅リフォーム・リノベーション提案システム。
【請求項８】
前記変更の余地を残したリフォームメニューは、後から仕様を決めることが可能なリフォームメニューである
請求項１に記載の住宅リフォーム・リノベーション提案システム。
【請求項９】
前記第一リフォームメニューには、前記後から仕様を決めることが可能なリフォームメニューとして、前記第一空間の天井に照明装置を取り付けるための付属部品に関するリフォームメニューが含まれる
請求項８に記載の住宅リフォーム・リノベーション提案システム。
【請求項１０】
前記付属部品は、ダクトレールである
請求項９に記載の住宅リフォーム・リノベーション提案システム。
【請求項１１】
前記第一リフォームメニューには、前記後から仕様を決めることが可能なリフォームメニューとして、フロアコンセントを設置するリフォームメニューが含まれる
請求項８に記載の住宅リフォーム・リノベーション提案システム。
【請求項１２】
前記表示部は、さらに、前記受付部によって受け付けられた前記ユーザの選択の結果に応じた見積もり金額を表示する
請求項１〜１１のいずれか１項に記載の住宅リフォーム・リノベーション提案システム。
【請求項１３】
前記表示部は、前記見積もり金額を固定表示する
請求項１２に記載の住宅リフォーム・リノベーション提案システム。
【請求項１４】
前記選択画面においては、
前記対象空間の大きさに関する選択肢と、
前記第一空間に設ける部屋の種類及び数に関する選択肢とが提示され、
前記第一リフォームメニューには、
前記第一空間の内装に関するリフォームメニューと、
拡充アイテムに関するリフォームメニューと、
拡充サービスに関するリフォームメニューとが含まれる
請求項１〜１３のいずれか１項に記載の住宅リフォーム・リノベーション提案システム。
【請求項１５】
前記拡充サービスに関するリフォームメニューには、照明プランニングサービスを受けるリフォームメニュー、照明セッティングサービスを受けるリフォームメニュー、家具コーディネートサービスを受けるリフォームメニュー、植物のコーディネートサービスを受けるメニュー、及び、ＤＩＹサポートサービスを受けるリフォームメニューの少なくとも一つが含まれる
請求項１４に記載の住宅リフォーム・リノベーション提案システム。
【請求項１６】
前記受付部は、複数種類の間取り図のうちの１つの選択を受け付け、
前記選択画面においては、選択された間取り図が表示され、
前記複数種類の間取り図は、前記第一リフォームメニューの対象区域と前記第二リフォームメニューの対象区域との組み合わせパターンによって構成される
請求項１〜１５のいずれか１項に記載の住宅リフォーム・リノベーション提案システム。
【請求項１７】
前記受付部は、前記対象空間の広さの選択を受け付け、
前記選択画面において表示される間取り図の選択肢は、選択された前記対象空間の広さに応じて異なる
請求項１６に記載の住宅リフォーム・リノベーション提案システム。
【請求項１８】
前記受付部は、前記対象空間の外形の選択を受け付け、
前記選択画面において表示される間取り図の選択肢は、選択された前記対象空間の外形に応じて異なる
請求項１６に記載の住宅リフォーム・リノベーション提案システム。
【請求項１９】
前記第二空間は、既存の配管などを利用することを前提とする
請求項１〜１８のいずれか１項に記載の住宅リフォーム・リノベーション提案システム。
【請求項２０】
ユーザが住宅リフォーム要望時にリフォーム仕様を選択するための選択画面を表示し、
前記選択画面の表示中に前記ユーザのリフォーム仕様の選択を受け付け、
前記選択画面においては、住宅リフォームの対象空間のうちユーザが前記ユーザの好みに応じて少なくとも部屋の配置および内装に関する仕様を自由に選択可能な第一空間に関する第一リフォームメニュー、及び、前記対象空間のうち水廻り設備が配置された第二空間に関する第二リフォームメニューが提示され、
前記第一リフォームメニューには、変更の余地を残したリフォームメニューが含まれる
住宅リフォーム・リノベーション提案方法。
【発明の詳細な説明】
【技術分野】
【０００１】
本発明は、住宅リフォーム・リノベーション提案システム、及び、住宅リフォーム・リノベーション提案方法に関する。
【背景技術】
【０００２】
中古マンションなどを購入したユーザが大規模なリフォーム・リノベーションを希望することがある。このようなユーザに対して、リフォーム・リノベーションの間取りの検討、リフォーム・リノベーション仕様の概略の決定、および、見積金額の概算をウェブサイトを介して行うことができるサービスが提供されている（例えば、特許文献１及び特許文献２参照）。
【先行技術文献】
【特許文献】
【０００３】
【特許文献１】特開２０１２−１６００５３号公報
【特許文献２】特開２０１６−１３９２４０号公報
【発明の概要】
【発明が解決しようとする課題】
【０００４】
今後の中古マンション購入と同時におこなうリフォーム・リノベーションの主要顧客となる、ロスト・ジェネレーション世代と呼ばれている世代は、それ以前の世代とは住まいに対する価値観が大きく異なる。ロスト・ジェネレーション世代は、バブル景気崩壊後に思春期を過ごし長期間のデフレを経験したことなどによりコストパフォーマンスにシビアで独自の価値感を持つことが特徴と言われている。又、住まいに関する関与度も高く自分でDIYすることや好みの変化に応じて手を加え続けることを楽しむ傾向もある。このような傾向から、従来通りのリフォーム提案は、ロスト・ジェネレーション世代の心に響かない可能性があるため、あらたな特徴を持つリフォーム・リノベーション提案が必要である。
【０００５】
ロスト・ジェネレーション世代は、独自のコスパフォーマンス感覚を持つため、リフォームにおいてもこだわる所とこだわらない所とがはっきりしている傾向がある。また、ロスト・ジェネレーション世代は、単なる豪華さよりも自分らしいライフスタイルの表現を重視する傾向がある。また、ロスト・ジェネレーション世代は、最初に全てを決めて完成されたものを提供されるよりも、手を加え続けられるもの（未完成のもの）に対してライフステージやライフスタイルの変化など必要に応じて手を加え続けて完成に近づけていくことを好む傾向もある。
【０００６】
本発明は、ロスト・ジェネレーション世代のような新たな価値観による新たなユーザに適したリフォームの提案を行うことができる住宅リフォーム・リノベーション提案システム、及び、住宅リフォーム・リノベーション提案方法を提供する。
【課題を解決するための手段】
【０００７】
本発明の一態様に係る住宅リフォーム・リノベーション提案システムは、ユーザが住宅リフォーム要望時にリフォーム仕様を選択するための選択画面を表示する表示部と、前記選択画面の表示中に前記ユーザのリフォーム仕様の選択を受け付ける受付部とを備え、前記選択画面においては、住宅リフォームの対象空間のうちユーザが前記ユーザの好みに応じて少なくとも部屋の配置および内装に関する仕様を自由に選択可能な第一空間に関する第一リフォームメニュー、及び、前記対象空間のうち水廻り設備が配置された第二空間に関する第二リフォームメニューが提示され、前記第一リフォームメニューには、変更の余地を残したリフォームメニューが含まれる。
【０００８】
本発明の一態様に係る住宅リフォーム・リノベーション提案方法は、ユーザが住宅リフォーム要望時にリフォーム仕様を選択するための選択画面を表示し、前記選択画面の表示中に前記ユーザのリフォーム仕様の選択を受け付け、前記選択画面においては、住宅リフォームの対象空間のうちユーザが前記ユーザの好みに応じて少なくとも部屋の配置および内装に関する仕様を自由に選択可能な第一空間に関する第一リフォームメニュー、及び、前記対象空間のうち水廻り設備が配置された第二空間に関する第二リフォームメニューが提示され、前記第一リフォームメニューには、変更の余地を残したリフォームメニューが含まれる。
【発明の効果】
【０００９】
本発明の一態様に係る住宅リフォーム・リノベーション提案システム、及び、住宅リフォーム・リノベーション提案方法は、新たなユーザに適したリフォームの提案を行うことができる。
【図面の簡単な説明】
【００１０】
【図１】図１は、実施の形態に係る住宅リフォーム・リノベーション提案システムの機能構成を示すブロック図である。
【図２】図２は、実施の形態に係る住宅リフォーム・リノベーション提案システムにおいて用いられるリフォームの対象空間の一例を示す図である。
【図３】図３は、実施の形態に係る住宅リフォーム・リノベーション提案システムの動作のフローチャートである。
【図４】図４は、選択画面の一例を示す図である。
【図５】図５は、リフォームメニューの選択フローである。
【図６】図６は、水廻り設備の配置の選択画面の一例である。
【図７】図７は、市場の実態に応じてパターン化された間取り図の選択肢を示す図である。
【発明を実施するための形態】
【００１１】
以下、実施の形態について、図面を参照しながら説明する。なお、以下で説明する実施の形態は、いずれも包括的または具体的な例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００１２】
なお、各図は模式図であり、必ずしも厳密に図示されたものではない。また、各図において、実質的に同一の構成に対しては同一の符号を付し、重複する説明は省略または簡略化される場合がある。
【００１３】
（実施の形態）
［住宅リフォーム・リノベーション提案システムの概要］
まず、実施の形態に係る住宅リフォーム・リノベーション提案システムの全体構成について説明する。図１は、実施の形態に係る住宅リフォーム・リノベーション提案システムの機能構成を示すブロック図である。
【００１４】
図１に示されるように、実施の形態に係る住宅リフォーム・リノベーション提案システム１０は、サーバ装置２０と、情報端末３０とを備える。
【００１５】
住宅リフォーム・リノベーション提案システム１０は、ユーザが簡易的にリフォームの仕様の概略の決定、および、見積金額の概算を行うことができるシステムである。ユーザは、情報端末３０を使用してサーバ装置２０が提供するウェブサイトにアクセスし、当該ウェブサイトにおいて複数の選択項目のそれぞれにおいて選択肢を選ぶ。これにより、ユーザは、住宅リフォーム会社の訪問などを行うことなく、リフォームの仕様の概略の決定、および、見積金額の概算を行うことができる。
【００１６】
ところで、上述のように、今後リフォームの主要顧客となる、ロスト・ジェネレーション世代などの新たな世代に対するリフォームの提案内容については検討の余地がある。新たな世代のユーザに対しては、ユーザが後から自分の好みに応じて手を加えられる余白を設けた自由度の高い提案を行うことが有用であると考えられる。そこで、住宅リフォーム・リノベーション提案システム１０においては、このような新たな世代向けに、変更の余地を残したリフォームメニューが準備されている。変更の余地を残したリフォームメニューとは、ユーザがリフォーム後に手を加えられること、さらには、手を加え続けられることが可能なリフォームメニューである。なお、リフォームメニューは、言い換えれば、提案内容または選択肢である。リフォームメニューは、リフォームの対象空間に設置される物品である場合もあるし、対象空間への施工内容である場合もあるし、ユーザに提供されるサービスである場合もある。
【００１７】
また、キッチン、バス、洗面、トイレといった水廻り空間の総称をＦｉｘ空間と定義し、制約条件が少ない自由度の高い居室空間の総称をＦｌｅｘ空間と定義した場合に、住宅リフォーム・リノベーション提案システム１０においては、リフォームの対象空間（仮想的なモデル空間）をＦｉｘ空間及びＦｌｅｘ空間に区別してリフォームメニューの提示が行われる。このように、配管など制約条件の多いＦｉｘ空間及び自由度の高い居室空間であるＦｌｅｘ空間に区別してリフォームメニューの提示が行われれば、顧客自身が検討可能な範囲が明確化されるため、顧客がリフォームメニューを制約条件の違いなどにより迷うことなく安心して決めることができる。図２は、住宅リフォーム・リノベーション提案システム１０において用いられるリフォームの対象空間の一例を示す図である。
【００１８】
図２に示されるＦｉｘ空間４２は、第二空間の一例である。Ｆｉｘ空間４２は、対象空間において、水廻り設備が配置された空間である。ここで、水廻り設備とは、風呂、洗面台、トイレ、及び、キッチンなどを意味する。住宅リフォーム・リノベーション提案システム１０においては、Ｆｉｘ空間４２に関しては選択肢が絞り込まれている。以下、Ｆｉｘ空間４２に関連して提示されるリフォームメニューは、第二リフォームメニューと記載される。
【００１９】
一方、Ｆｌｅｘ空間４１は、第一空間の一例であり、対象空間のうちユーザが当該ユーザの好みに応じて少なくとも間取りおよび内装を自由に選択可能な空間である。Ｆｌｅｘ空間４１は、１つの部屋、及び、当該１つの部屋以外の大部屋を含む。１つの部屋は、例えば、寝室として用いられる。以下、Ｆｌｅｘ空間４１に関連して提示されるリフォームメニューは、第一リフォームメニューと記載される。
【００２０】
Ｆｌｅｘ空間４１に関しては、多様な第一リフォームメニューが準備されている。つまり、Ｆｌｅｘ空間４１に関連して提示される第一リフォームメニューの選択の幅（例えば、リフォームメニューの総数）は、Ｆｉｘ空間４２に関連して提示される第二リフォームメニューの選択の幅よりも広い。
【００２１】
また、第一リフォームメニューには、変更の余地を残したリフォームメニューが含まれる。変更の余地を残したリフォームメニューは、より具体的には、ユーザ自身が居住後に手を加える余地を残したリフォームメニュー、または、後から仕様を決定可能なリフォームメニューである。したがって、従来のようにリフォーム時において完成状態までリフォームしてしまうのではなく、ユーザ自身が居住後に手を加える余地、すなわち完成状態までの差分を残したリフォームメニュー、または、後から仕様を決定可能なリフォームメニューを新たに提供する。
【００２２】
実施の形態では、対象空間は、例えば、集合住宅の一室を想定した仮想的なモデル空間であるが、戸建住宅を想定した仮想的なモデル空間であってもよい。つまり、住宅リフォーム・リノベーション提案システム１０は、戸建住宅に適用されてもよい。
【００２３】
以下、住宅リフォーム・リノベーション提案システム１０が備える各装置の詳細な構成について、引き続き図１を参照しながら説明する。
【００２４】
［サーバ装置］
まず、サーバ装置２０について説明する。サーバ装置２０は、住宅リフォーム・リノベーション提案システム１０において用いられる情報を管理する装置である。サーバ装置２０は、具体的には、通信部２１と、制御部２２と、記憶部２３とを備える。
【００２５】
通信部２１は、情報端末３０によって送信された表示画面情報の要求を受信し、かつ、要求に応じた表示画面情報を送信する。表示画面情報は、情報端末３０の表示部３４に表示画面を表示するための情報である。表示画面には、選択画面などが含まれる。通信部２１は、具体的には、通信回路（通信モジュール）である。
【００２６】
制御部２２は、通信部２１によって送信された要求に応じた表示画面情報を記憶部２３から読み出し、読み出した表示画面情報を通信部２１に送信させる。また、制御部２２は、記憶部２３に記憶された価格情報に基づいて、住宅リフォームの見積もり金額を算出する。算出された見積もり金額は、選択画面に固定表示される。制御部２２は、具体的には、プロセッサ、マイクロコンピュータ、または専用回路などによって実現される。制御部２２は、プロセッサ、マイクロコンピュータ、および専用回路のうち２つ以上の組み合わせによって実現されてもよい。
【００２７】
記憶部２３は、住宅リフォーム・リノベーション提案システム１０において用いられる情報が記憶される記憶装置である。記憶部２３には、例えば、表示画面情報が記憶される。また、記憶部２３には、選択画面を通じた選択結果に応じて見積もり金額を算出するための価格情報が記憶される。制御部２２は、価格情報を用いて、情報端末３０を通じて選択された選択肢に対応する価格を特定することにより、見積もり金額を算出することができる。記憶部２３は、ＨＤＤ（Ｈａｒｄ  Ｄｉｓｋ  Ｄｒｉｖｅ）、または、半導体メモリなどによって実現される。
【００２８】
［情報端末］
次に、情報端末３０について説明する。情報端末３０は、選択画面等が表示される端末である。情報端末３０は、例えば、スマートフォンまたはタブレット端末などの携帯型の情報端末であるが、パーソナルコンピュータなどの据え置き型の情報端末であってもよい。また、情報端末３０は、住宅リフォーム・リノベーション提案システム１０の専用端末であってもよい。情報端末３０は、具体的には、受付部３１と、制御部３２と、通信部３３と、表示部３４と、記憶部３５とを備える。
【００２９】
受付部３１は、ユーザの操作を受け付ける。受付部３１は、例えば、タッチパネル、及び、ハードウェアボタンなどによって実現される。
【００３０】
制御部３２は、受付部３１によって受け付けられた操作に基づいて、当該操作に応じた表示画面情報の要求を通信部３３に送信させる。また、通信部３３によって表示画面情報が受信されると、受信された表示画面情報に基づく画面を表示部３４に表示させる。制御部３２は、例えば、ウェブブラウザを実行することによってこのような動作を行うが、専用のアプリケーションプログラムを実行することによってこのような動作を行ってもよい。制御部３２は、プロセッサまたはマイクロコンピュータなどによって実現される。
【００３１】
通信部３３は、制御部３２の制御に基づいて、表示画面情報の要求をサーバ装置２０に送信する。また、通信部３３は、表示画面情報をサーバ装置２０から受信する。通信部３３は、具体的には、情報端末３０がサーバ装置２０と通信を行うための通信モジュール（通信回路）である。
【００３２】
なお、情報端末３０及びサーバ装置２０の間で行われる通信は、有線通信であってもよいし、無線通信であってもよい。通信に用いられる通信規格についても特に限定されない。
【００３３】
表示部３４は、制御部３２の制御に基づいて表示画面を表示する。表示部３４は、具体的には、例えば、液晶パネルまたは有機ＥＬパネルなどを表示デバイスとして含むディスプレイである。なお、以下の実施の形態では、表示部３４が表示する表示画面及び画像は、サーバ装置２０から提供される表示画面情報に基づくものである。
【００３４】
記憶部３５は、制御部３２によって実行されるウェブブラウザの実行プログラム等が記憶される記憶装置である。記憶部３５は、具体的には、半導体メモリなどにより実現される。記憶部３５には、通信部３３によって受信された表示画面情報が記憶されてもよい。
【００３５】
［動作］
次に、住宅リフォーム・リノベーション提案システム１０の動作について説明する。図３は、住宅リフォーム・リノベーション提案システム１０の動作のフローチャートである。
【００３６】
まず、表示部３４は、選択画面を表示する（Ｓ１１）。図４は、選択画面の一例を示す図である。選択画面は、住宅リフォームの仕様に関するリフォームメニューを選択するための画面である。選択画面においては、選択ボタン３４ａ、確定ボタン３４ｂ、住宅リフォームの対象空間の大きさ３４ｃ、リフォーム対象の空間のアイコン３４ｄ、及び、見積もり金額３４ｅが固定表示される。
【００３７】
このような選択画面を表示するために、制御部３２は、例えば、受付部３１によって受け付けられた開始操作に基づいて、選択画面の表示画面情報の要求を通信部３３に送信させる。この結果、サーバ装置２０の通信部２１から選択画面の表示画面情報が送信される。情報端末３０の通信部３３によって選択画面の表示画面情報が受信されると、制御部３２は、受信された表示画面情報に基づいて選択画面を表示部３４に表示させる。
【００３８】
受付部３１は、このような選択画面の表示中にユーザのリフォームメニューの選択を受け付ける（Ｓ１２）。受付部３１は、具体的には、ユーザのタップ操作などを受け付ける。見積もり金額３４ｅは、ユーザが選択を行うごとに、選択結果に応じて更新される。つまり、表示部３４は、さらに、受付部３１によって受け付けられたユーザの仕様の選択に応じた見積もり金額３４ｅを表示する。なお、見積もり金額３４ｅの更新処理は、例えば、サーバ装置２０の制御部２２によって主体的に行われるが、情報端末３０の制御部３２によって主体的に行われてもよい。
【００３９】
ユーザは、必要なリフォームメニューを選択した後、確定ボタン３４ｂをタップ操作する。受付部３１によって確定ボタン３４ｂへのタップ操作が受け付けられると、住宅リフォーム・リノベーション提案システム１０によって提案される住宅リフォームの仕様が確定される。
【００４０】
［対象空間の大きさの選択］
次に、住宅リフォーム・リノベーション提案システム１０における具体的なリフォームメニューについて、リフォームメニューの選択フローを参照しながら説明する。図５は、リフォームメニューの選択フローである。なお、図５のフローは、リフォームメニューの説明のために例示されるものであり、リフォームメニューの選択順序はこのような順序に限定されない。また、図５のフローチャートにおける一部のステップは、省略されてもよい。
【００４１】
まず、ユーザは、部屋（つまり、住宅リフォームの対象空間）の大きさ（例えば、広さ及び外形）を選択し（Ｓ２１）、受付部３１は、これを受け付ける。例えば、表示部３４は、部屋の大きさの選択肢をリスト表示し、ユーザは、タップ操作により選択肢のいずれかを選択する。ユーザが部屋の大きさを選択すると、選択結果に応じて部屋の大きさ３４ｃが表示される。また、選択された部屋の大きさ×単価が見積もり金額３４ｅに加算される。住宅リフォーム・リノベーション提案システム１０では、ｍ２単価別の定額制が採用されている。
【００４２】
なお、ユーザが選択した部屋の大きさは、アイコン３４ｄに反映されてもよい。つまり、ユーザが選択した部屋の大きさに応じてアイコン３４ｄにおける部屋の大きさ（延床面積）が変更されてもよい。
【００４３】
［水廻り設備の配置の選択］
次に、ユーザは、Ｆｉｘ空間４２における水廻り設備の配置を選択する（Ｓ２２）。図６は、水廻り設備の配置の選択画面の一例である。図６の選択画面を通じて、ユーザは、現実の住宅リフォーム対象空間と水廻り設備の配置が類似した図を選択する。この時点で、標準仕様における価格が表示される（Ｓ２３）。
【００４４】
なお、図６の選択画面に選択肢として表示される間取り図は、市場の実態に応じてパターン化されたものである。図７は、市場の実態に応じてパターン化された間取り図の選択肢を示す図である。
【００４５】
図７においては、ハッチングされた領域が水廻り設備の配置を意味する。図７に示されるように、間取り図の選択肢は市場の実態応じてパターン化されており、部屋の外形（例えば、長方形縦、正方形、及び、長方形横）、並びに、広さ（例えば、５０ｍ２台、６０ｍ２台、７０ｍ２台、８０ｍ２台）ごとに異なる選択肢が準備されている。図７の例では、１６パターンの選択肢が準備されている。
【００４６】
このように、選択肢として準備される複数種類の間取り図は、第一リフォームメニューの対象区域と第二リフォームメニューの対象区域との組み合わせパターンによって構成される。このような選択肢が提示されれば、ユーザは、市場の実態に応じてパターン化された間取り図の中から自分が購入予定の実際の物件の間取り図に近いものを選択することができる。
【００４７】
［部屋の追加の要否］
次に、ユーザは、Ｆｌｅｘ空間４１において部屋の追加の要否を選択する（Ｓ２４）。ユーザがＦｌｅｘ空間４１に部屋を追加することを選択した場合（Ｓ２４でＹｅｓ）、ユーザは、部屋の設置場所を選択する（Ｓ２５）。ユーザは、例えば、部屋の形状のアイコンをリフォーム対象の空間のアイコン２４ｄに向けてドラッグアンドドロップ操作することにより、部屋の配置を検討することができる。ユーザがＦｌｅｘ空間４１に部屋を追加することを選択しなかった場合（Ｓ２４でＮｏ）、部屋の設置場所の選択は行われない。
【００４８】
なお、ステップＳ２５までの段階では、床、壁、天井の素材及び仕上げはデフォルトで仮設定されている。変更点が無ければ、このままで見積書が作成できる。
【００４９】
［こだわりに応じた選択１：内装］
次に、ユーザは、こだわりに応じた選択１を行う（Ｓ２６）。こだわりに応じた選択１では、Ｆｌｅｘ空間４１（つまり、居室部）の仕様変更が可能である。こだわりに応じた選択１で提示される第一リフォームメニューは、標準金額と同一の価格内で選択できるメニューと追加金額が必要なメニューで構成される。
【００５０】
例えば、こだわりに応じた選択１では、内装に関する第一リフォームメニューを含む選択画面が表示され、ユーザは、床、壁、天井の素材及び仕上げを変更することができる。また、ユーザは、建具の仕上げを変更することもできる。
【００５１】
例えば、床の素材に関する第一リフォームメニューには、複合フローリング、無垢フローリング、及び、床暖房などが含まれる。壁の素材、及び、天井の素材に関する第一リフォームメニューとしては、ビニルクロス、塗装下地用のクロス、塗装、及び、左官仕上げなどが含まれる。
【００５２】
このように、部屋の内装に関する第一リフォームメニューには、Ｆｌｅｘ空間４１の壁または天井に塗装下地用のクロスを貼るリフォームメニューが含まれている。塗装下地用のクロスは、ユーザが塗装を行うことができるクロスである。つまり、ユーザは、塗装下地用のクロスを選択することにより、入居後に壁または天井を自身で塗装することができる。このような塗装下地用のクロスは、ユーザ自身が居住後に手を加える余地を残したリフォームメニューの一例である。塗装下地用のクロスのようなリフォームメニューによれば、ユーザが後から自分の好みに応じて手を加えられる余白が実現される。
【００５３】
なお、部屋の内装に関する第一リフォームメニューには、Ｆｌｅｘ空間４１の壁に壁紙を貼り付けない（つまり、板張りの状態のままとする）リフォームメニューが含まれてもよい。このようなリフォームメニューは、ユーザ自身が居住後に手を加える余地を残したリフォームメニューの一例であり、ユーザは、例えば、入居後に自身で壁紙を貼り付ける。このようなリフォームメニューによってもユーザが後から自分の好みに応じて変更できる余白が実現される。
【００５４】
なお、部屋の内装に関する第一リフォームメニューには、内装を施さない、いわゆるスケルトンが含まれてもよい。このようなリフォームメニューによってもユーザが後から自分の好みに応じて手を加えられる余白が実現される。
【００５５】
また、壁の素材に関する第一リフォームメニューとして、壁の下地補強材が準備されている。具体的には、釘打ちなどに対応できるような合板などによる釘打ち対応下地（より具体的には、コンパネなど）などが準備されている。壁の下地補強材によれば、ユーザは、居住後に自身で壁に棚などの構造物を取り付けることができる。つまり、壁の下地補強に関するリフォームメニューは、ユーザ自身が居住後に手を加える余地を残したリフォームメニューの一例である。
【００５６】
［こだわりに応じた選択１：配線ダクト］
さらに、こだわりに応じた選択１では、配線ダクトに関する第一リフォームメニューを含む選択画面が表示され、ユーザは、配線ダクトの数を標準の数から追加することができる。配線ダクトは、言い換えれば、ライティングダクト（ライティングレール、ダクトレール）であり、照明装置を取り付けるための付属部品の一例である。
【００５７】
ユーザは、具体的には、配線ダクトの設置本数を選択することができる。この場合、選択された配線ダクトの数×単価が見積もり金額３４ｅに加算される。配線ダクトによれば、ユーザは、後から照明器具の仕様を決定することができる。配線ダクトに関するリフォームメニューは、後から仕様を決定可能なリフォームメニューの一例である。
【００５８】
［こだわりに応じた選択２］
次に、ユーザは、こだわりに応じた選択２を行う（Ｓ２７）。こだわりに応じた選択２では、ユーザは、Ｆｌｅｘ空間４１への部屋の追加を行うことができる。ユーザは、例えば、居室の追加、収納スペースの追加、シューズインクロークの追加、ウォークインクローゼットの追加、及び、クローゼットの追加を行うことができる。また、こだわりに応じた選択２では、ユーザは、空間要素の追加を行うことができる。ユーザは、例えば、土間の追加、間仕切りの追加、及び、小上がりの追加を行うことができる。
【００５９】
こだわりに応じた選択２では、ユーザが追加した部屋及び空間要素に対応するリフォームの価格が見積もり金額３４ｅに加算される。なお、ユーザの選択結果に応じてアイコン３４ｄにおける対象空間に空間要素が追加されてもよい。
【００６０】
［こだわりに応じた選択３］
次に、ユーザは、こだわりに応じた選択３を行う（Ｓ２８）。こだわりに応じた選択３では、配線器具に関する第一リフォームメニューが提示され、ユーザは配線器具の変更を行うことができる。
【００６１】
例えば、配線器具に関する第一リフォームメニューには、標準タイプ、金属プレートタイプ、及び、クラシックタイプなどが含まれる。
【００６２】
なお、配線器具に関する第一リフォームメニューには、フロアコンセントを設置するリフォームメニューが含まれてもよい。
【００６３】
フロアコンセントは、壁ではなく床に設置される配線器具である。フロアコンセントが採用されれば、入居後にＦｌｅｘ空間４１の間取りを変更するような場合に、フロアコンセントをそのまま使用することでコンセントの新設または移設を省略することができる。言い換えれば、部屋を後から追加するために壁を増設しても電気工事をすることなく部屋の中にコンセントが設置されていることになる。フロアコンセントを設置するリフォームメニューは、後から仕様を決定可能なリフォームメニューの一例である。
【００６４】
［拡充アイテムの選択］
次に、ユーザは、拡充アイテムを選択する（Ｓ２９）。拡充アイテムの選択においては、拡充アイテムに関する第一リフォームメニューを含む選択画面が表示され、ユーザは、拡充アイテムを追加することができる。具体的には、天井に取り付ける拡充アイテム、壁に取り付ける拡充アイテム、及び、床に取り付ける拡充アイテムなどが準備されている。ユーザが拡充アイテムを選択すると、選択された拡充アイテムに対応する価格が見積もり金額３４ｅに加算される。
【００６５】
例えば、天井に取り付ける拡充アイテムには、配線ダクト用の照明装置、配線ダクト用の吊り下げコンセント、配線ダクト用のフック、及び、配線ダクト用のプロジェクタ機能付き照明装置などが含まれる。壁に取り付ける拡充アイテムには、有孔ボード、及び、棚＋Ｌ字アングルなどが含まれる。床に取り付ける拡充アイテムには、置き畳などが含まれる。
【００６６】
［拡充サービスの選択］
次に、ユーザは、拡充サービスを選択する（Ｓ３０）。拡充サービスの選択においては、拡充サービスに関する第一リフォームメニューを含む選択画面が表示され、ユーザは、拡充サービスを追加することができる。ユーザが拡充サービスを選択すると、選択された拡充サービスに対応する価格が見積もり金額３４ｅに加算される。
【００６７】
拡充サービスに関するリフォームメニューには、照明プランニングサービスを受けるリフォームメニュー、照明セッティングサービスを受けるリフォームメニュー、家具コーディネートサービスを受けるリフォームメニュー、植物のコーディネートサービスを受けるサービスメニュー、及び、ＤＩＹ（Ｄｏ  Ｉｔ  Ｙｏｕｒｓｅｌｆ）サポートを実施するサービスを受けるメニューが含まれる。また、拡充サービスに関するメニューには、壁の仕上げサービスを依頼するリフォームメニュー、及び、床の仕上げサービスを受けるリフォームメニューも含まれる。
【００６８】
［Ｆｉｘ空間に関する選択］
図５のフローとは別に、ユーザは、Ｆｉｘ空間４２に関する選択を行う。Ｆｉｘ空間に関する選択では、Ｆｉｘ空間４２に関する第二リフォームメニューを含む選択画面が表示され、ユーザは、Ｆｉｘ空間４２（つまり、水廻り部）の仕様を変更することができる。
【００６９】
ユーザは、例えば、標準設定された水廻り設備の色を変更することができる。なお、水廻り設備の価格は、例えば、基本料金に含まれ、水廻り設備の色の選択によって見積もり金額３４ｅは変更されない。しかしながら、選択した色について追加料金が発生するような場合には、水廻り設備の色の選択によって見積もり金額３４ｅに追加料金が加算されてもよい。
【００７０】
また、Ｆｉｘ空間４２に関する選択では、ユーザは、水廻り設備の配置変更、及び、水廻り設備のサイズ変更を行うことができる。水回り設備の選択については既存の配管をそのまま利用する場合は基本料金に含まれるが、配管の配置変更を伴う場合など水回り設備の配置変更、及び、水回り設備のサイズ変更には、追加料金が必要となる。
【００７１】
［効果等］
以上説明したように、住宅リフォーム・リノベーション提案システム１００は、ユーザが住宅リフォーム要望時にリフォーム仕様を選択するための選択画面を表示する表示部３４と、選択画面の表示中にユーザのリフォーム仕様の選択を受け付ける受付部３１とを備える。選択画面においては、住宅リフォームの対象空間のうちユーザがユーザの好みに応じて少なくとも部屋の配置および内装を自由に選択可能なＦｌｅｘ空間４１に関する第一リフォームメニュー、及び、対象空間のうち水廻り設備が標準設定されたＦｉｘ空間４２に関する第二リフォームメニューが提示される。第一リフォームメニューには、変更の余地を残したリフォームメニューが含まれる。Ｆｌｅｘ空間４１は、第一空間の一例であり、Ｆｉｘ空間４２は、第二空間の一例である。
【００７２】
このような住宅リフォーム・リノベーション提案システム１０は、新たな世代のユーザが後から自分の好みに応じて手を加えられる余白（工夫された仕掛け）を設けた自由度の高い提案を行うことができる。つまり、住宅リフォーム・リノベーション提案システム１０は、新たな世代に適したリフォームの提案を行うことができる。また、配管など制約条件の多いＦｉｘ空間４２は選択肢を少なくすることで施工品質を担保し、様々なライフスタイルやライフステージの変化に応じた変更を求められる居室空間であるＦｌｅｘ空間４１は選択肢を多くするというように、前提条件の違いに応じてリフォームメニューの提示が行われれば、検討可能な範囲が明確化されるため、顧客がリフォームメニューを迷うことなく安心して決めることができる。
【００７３】
また、変更の余地を残したリフォームメニューは、リフォーム時に全てを決定してしまわない選択を可能にしたリフォームメニュー、または、リフォームよりも後に変更できるという選択を可能にしたリフォームメニューである。つまり、変更の余地を残したリフォームメニューは、暮らしながら作るための工夫が盛り込まれているリフォームメニューである。
【００７４】
また、変更の余地を残したリフォームメニューは、リフォーム時点では予測できないライフステージの変化、ライフスタイルの変化、及び、好みの変化に対してユーザ自身が居住後にこれらの変化に応じて手を加えられる余地を残したリフォームメニューである。つまり、変更の余地を残したリフォームメニューは、暮らしながら作るための工夫が盛り込まれているリフォームメニューである。
【００７５】
また、例えば、変更の余地を残したリフォームメニューは、ユーザ自身が居住後に手を加える余地を残したリフォームメニューである。
【００７６】
このような住宅リフォーム・リノベーション提案システム１０は、ユーザがＤＩＹできる余白を設けた提案を行うことができる。
【００７７】
また、例えば、第一リフォームメニューには、ユーザ自身が居住後に手を加える余地を残したリフォームメニューとして、壁の下地補強に関するリフォームメニューが含まれる。
【００７８】
これにより、ユーザがＤＩＹで棚などを壁に取り付けることができる。
【００７９】
また、例えば、第一リフォームメニューには、ユーザ自身が居住後に手を加える余地を残したリフォームメニューとして、Ｆｌｅｘ空間４１の壁及び天井の少なくとも一方に塗装下地用のクロスを貼るリフォームメニューが含まれる。
【００８０】
このような住宅リフォーム・リノベーション提案システム１０は、ユーザがＤＩＹで壁及び天井の少なくとも一方を塗装可能な提案を行うことができる。
【００８１】
また、例えば、第一リフォームメニューには、ユーザ自身が居住後に手を加える余地を残したリフォームメニューとして、Ｆｌｅｘ空間４１の壁に壁紙を貼り付けないリフォームメニューが含まれる。
【００８２】
このような住宅リフォーム・リノベーション提案システム１０は、ユーザがＤＩＹで壁及び天井の少なくとも一方に壁紙を貼ることが可能な提案を行うことができる。
【００８３】
また、例えば、変更の余地を残したリフォームメニューは、後から仕様を決めることが可能なリフォームメニューである。
【００８４】
このような住宅リフォーム・リノベーション提案システム１０は、ユーザまたは施工業者が後から仕様を決定することができる余白を設けた提案を行うことができる。
【００８５】
また、例えば、第一リフォームメニューには、後から仕様を決めることが可能なリフォームメニューとして、Ｆｌｅｘ空間４１の天井に照明装置を取り付けるための付属部品に関するリフォームメニューが含まれる。
【００８６】
このような住宅リフォーム・リノベーション提案システム１０は、後から照明の仕様を決定することができる余白を設けた提案を行うことができる。
【００８７】
また、例えば、付属部品は、ダクトレールである。
【００８８】
このような住宅リフォーム・リノベーション提案システム１０は、後から照明の仕様を決定することができる余白を設けた提案を行うことができる。
【００８９】
また、例えば、第一リフォームメニューには、後から仕様を決めることが可能なリフォームメニューとして、フロアコンセントを設置するリフォームメニューが含まれる。
【００９０】
このことにより、後から部屋を追加する際に壁を立ててもコンセントを壁に追加する工事を行うことなくコンセントが部屋の中にある状態を実現できる。
【００９１】
また、例えば、表示部３４は、さらに、受付部３１によって受け付けられたユーザの選択の結果に応じた見積もり金額を表示する。
【００９２】
これにより、住宅リフォーム・リノベーション提案システム１０は、選択結果に応じた見積もり金額３４ｅをユーザに提示することができる。ユーザは、リフォームにかかる費用を意識しながら仕様を選択することができる。
【００９３】
また、例えば、表示部３４は、見積もり金額を固定表示する。
【００９４】
これにより、住宅リフォーム・リノベーション提案システム１０は、選択画面の一部がスクロール表示されるような場合も、選択結果に応じた見積もり金額３４ｅを常にユーザに提示することができる。ユーザは、リフォームにかかる費用を意識しながら仕様を選択することが容易となる。
【００９５】
また、例えば、選択画面においては、対象空間の大きさに関する選択肢と、Ｆｌｅｘ空間４１に設ける部屋の種類及び数に関する選択肢とが提示される。第一リフォームメニューには、Ｆｌｅｘ空間４１の内装に関するリフォームメニューと、拡充アイテムに関するリフォームメニューと、拡充サービスに関するリフォームメニューとが含まれる。
【００９６】
これにより、住宅リフォーム・リノベーション提案システム１０は、対象空間の大きさ、Ｆｌｅｘ空間４１に設ける部屋の種類及び数、Ｆｌｅｘ空間４１の内装、拡充アイテム、及び、拡充サービスをユーザに提案することができる。ユーザは、対象空間の大きさ、Ｆｌｅｘ空間４１に設ける部屋の種類及び数、Ｆｌｅｘ空間４１の内装、拡充アイテム、及び、拡充サービスを選択することができる。
【００９７】
また、例えば、拡充サービスに関するリフォームメニューには、照明プランニングサービスを受けるリフォームメニュー、照明セッティングサービスを受けるリフォームメニュー、家具コーディネートサービスを受けるリフォームメニュー、植物のコーディネートサービスを受けるメニュー、及び、ＤＩＹサポートサービスを受けるリフォームメニューの少なくとも一つが含まれる。なお、拡充サービスに関するリフォームメニューの選択は必須ではなく、拡充サービスに関するリフォームメニューの選択は行われてもよいし行われなくてもよい。
【００９８】
これにより、住宅リフォーム・リノベーション提案システム１０は、照明プランニングサービス、照明セッティングサービス選択肢、家具コーディネートサービス、植物のコーディネートサービス、及び、ＤＩＹサポートサービスの少なくとも一つをユーザに提案することができる。ユーザは、照明プランニングサービス、照明セッティングサービス選択肢、家具コーディネートサービス、植物のコーディネートサービス、及び、ＤＩＹサポートサービスの少なくとも一つを受けるか否かを選択することができる。
【００９９】
また、例えば、受付部３１は、複数種類の間取り図のうちの１つの選択を受け付け、選択画面においては、選択された間取り図が表示され、複数種類の間取り図は、第一リフォームメニューの対象区域と第二リフォームメニューの対象区域との組み合わせパターンによって構成される。
【０１００】
これにより、ユーザは、市場の実態に応じてパターン化された間取り図の中から自分が購入予定の実際の物件の間取り図に近いものを選択することができる。
【０１０１】
また、例えば、受付部３１は、対象空間の広さの選択を受け付け、選択画面において表示される間取り図の選択肢は、選択された前記対象空間の広さに応じて異なる。
【０１０２】
これにより、選択された広さに単価を乗算することで見積もり金額の自動計算を行うことができる。また、住宅リフォーム・リノベーション提案システム１０は、市場の実態に応じて広さごとにパターン化された間取り図の選択肢をユーザに提示することができる。
【０１０３】
また、例えば、Ｆｉｘ空間４２は、既存の配管などを利用することを前提とする。
【０１０４】
（その他の実施の形態）
以上、実施の形態に係る住宅リフォーム・リノベーション提案システムについて説明したが、本発明は、上記実施の形態に限定されるものではない。
【０１０５】
また、上記実施の形態で説明された選択画面は、一例である。選択画面は、スクロールされることにより選択項目が変更されてもよいし、選択項目ごとに準備された複数の画面を含み、複数の画面が画面遷移してもよい。
【０１０６】
また、上記実施の形態で説明したサーバ装置と情報端末との間の通信方法については特に限定されるものではない。サーバ装置と情報端末との間では、例えば、第４世代移動通信システムまたは第３世代移動通信システムを利用した無線通信が行われるが、光回線を利用した有線通信と、Ｗｉ−Ｆｉ（登録商標）などの無線通信とが組み合わされてもよい。無線通信の方式（通信規格）、及び、有線通信の方式（通信規格）は特に限定されない。
【０１０７】
また、上記実施の形態において、特定の処理部が実行する処理を別の処理部が実行してもよい。また、複数の処理の順序が変更されてもよいし、複数の処理が並行して実行されてもよい。
【０１０８】
また、上記実施の形態では、住宅リフォーム・リノベーション提案システムは、クライアントサーバシステムとして実現されているが、住宅リフォーム・リノベーション提案システムは、単一の装置として実現されてもよい。また、住宅リフォーム・リノベーション提案システムが備える構成要素の複数の装置への振り分けは、一例である。例えば、一の装置が備える構成要素を他の装置が備えてもよい。また、住宅リフォーム・リノベーション提案システムは、３つ以上の装置を備えてもよい。例えば、住宅リフォーム・リノベーション提案システムは、２つ以上のサーバ装置を備えてもよい。
【０１０９】
また、上記実施の形態において、制御部などの構成要素は、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。
【０１１０】
また、制御部などの構成要素は、ハードウェアによって実現されてもよい。例えば、制御部などの構成要素は、回路（または集積回路）でもよい。これらの回路は、全体として１つの回路を構成してもよいし、それぞれ別々の回路でもよい。また、これらの回路は、それぞれ、汎用的な回路でもよいし、専用の回路でもよい。
【０１１１】
また、本発明の全般的または具体的な態様は、システム、装置、方法、集積回路、コンピュータプログラムまたはコンピュータ読み取り可能なＣＤ−ＲＯＭなどの記録媒体で実現されてもよい。また、システム、装置、方法、集積回路、コンピュータプログラム及び記録媒体の任意な組み合わせで実現されてもよい。例えば、本発明は、コンピュータ等によって実行される住宅リフォーム・リノベーション提案方法として実現されてもよいし、住宅リフォーム・リノベーション提案方法をコンピュータに実行させるためのプログラムとして実現されてもよい。また、例えば、住宅リフォーム・リノベーション提案システムがウェブブラウザの実行ではなく専用のアプリケーションプログラムの実行により実現される場合、本発明は、当該専用のアプリケーションプログラムとして実現されてもよい。
【０１１２】
その他、各実施の形態に対して当業者が思いつく各種変形を施して得られる形態、または、本発明の趣旨を逸脱しない範囲で各実施の形態における構成要素及び機能を任意に組み合わせることで実現される形態も本発明に含まれる。
【符号の説明】
【０１１３】
１０  住宅リフォーム・リノベーション提案システム
２０  サーバ装置
３１  受付部
３４  表示部
３４ｅ  見積もり金額
４１  Ｆｌｅｘ空間（第一空間）
４２  Ｆｉｘ空間（第二空間）
【図１】
2020061008.tif 000003
【図２】
2020061008.tif 000004
【図３】
2020061008.tif 000005
【図４】
2020061008.tif 000006
【図５】
2020061008.tif 000007
【図６】
2020061008.tif 000008
【図７】
2020061008.tif 000009